(57)【要約】【課題】第１の通信部を用いて通信方式の切り替えに関するネゴシエーションをしても、すでに登録済みの対向機器に関してはペアリング処理を好適に省略することができる。【解決手段】本発明の通信端末は、通信端末と対向機器が互いに近接する場合に、通信方式切替要求に基づいて第１の無線通信部から第２の無線通信部に通信方式を切り替え、第２の無線通信部が対向機器からの接続要求を受信する場合、第１の無線通信部を用いて取得される対向機器からの機器情報とセキュリティ情報に基づき、第２の無線通信部により対向機器との間でのペアリングを制御し、通信方式切替要求を許可した対向機器がすでに登録済みの対向機器であると判断した場合、通知される通信方式切替要求に含まれるペアリング要求を破棄し、第２の無線通信部によって認証処理を含むペアリングを実行しないように制御することができる。【選択図】  図３
2011151745.tif 000002
【特許請求の範囲】
【請求項１】
通信端末と対向機器との間で無線通信する第１の無線通信手段と、
前記通信端末と前記対向機器との間で無線通信する第２の無線通信手段と、
前記通信端末と前記対向機器とが互いに前記第１の無線通信手段により無線通信可能な範囲で近接する場合に、前記第１の無線通信手段から前記第２の無線通信手段に通信方式を切り替える通信方式切替要求を、前記第１の無線通信手段が前記対向機器から受信するとき、前記第１の無線通信手段を用いて前記通信方式切替要求に対して前記対向機器に応答するとともに、前記通信方式切替要求に基づいて、前記第１の無線通信手段から前記第２の無線通信手段に通信方式を切り替える通信方式切替制御手段と、
前記第２の無線通信手段が受信する前記対向機器からの接続要求を受け付け、前記対向機器からの接続要求に対して前記第２の無線通信手段を用いて応答し、前記第１の無線通信手段を用いて取得される前記対向機器からの機器情報とセキュリティ情報に基づいて、前記第２の無線通信手段を用いて前記対向機器との間でのペアリングを制御するペアリング制御手段と、
前記通信方式切替制御手段から通知される前記通信方式切替要求に対応するペアリング要求に基づいて、前記通信方式切替要求を許可した前記対向機器がすでに登録済みの対向機器であるか否かを判断し、前記通信方式切替要求を許可した前記対向機器がすでに登録済みの対向機器であると判断した場合、前記通信方式切替制御手段から通知される前記通信方式切替要求に対応するペアリング要求を破棄し、前記第２の無線通信手段によって認証処理を含むペアリングを実行しないように前記ペアリング制御手段を制御する認証制御手段とを備えることを特徴とする通信端末。
【請求項２】
前記認証制御手段は、前記通信方式切替要求を許可した前記対向機器が未登録の対向機器であると判断した場合、前記通信方式切替制御手段から通知される前記通信方式切替要求に対応するペアリング要求を破棄せず、前記第２の無線通信手段によって認証処理を含むペアリングを実行するように前記ペアリング制御手段を制御することを特徴とする請求項１に記載の通信端末。
【請求項３】
前記通信方式切替要求を許可した前記対向機器がすでに登録済みの対向機器であると判断した場合、前記ペアリング制御手段は、前記対向機器と接続を確立する際の認証処理に必要な予め記憶されるセキュリティ情報に基づいて、前記第２の無線通信手段を用いて認証処理を行い、前記通信端末と前記通信方式切替要求を許可した前記対向機器との間で接続を確立することを特徴とする請求項１に記載の通信端末。
【請求項４】
前記通信方式切替要求を許可した前記対向機器がすでに登録済みの対向機器であると判断した場合、前記第２の無線通信手段が前記対向機器からの接続要求を受信する前に、前記通信方式切替要求を許可した前記対向機器に予め対応付けられている過去に実行した前記第２の無線通信手段に関するプロファイルの全部または一部を起動する起動手段をさらに備えることを特徴とする請求項１に記載の通信端末。
【請求項５】
前記第１の無線通信手段は、NFCを用いた非接触の通信方式であることを特徴とする請求項１に記載の通信端末。
【請求項６】
前記第２の無線通信手段は、BluetoothまたはWLANの通信方式であることを特徴とする請求項１に記載の通信端末。
【発明の詳細な説明】
【技術分野】
【０００１】
本発明は通信端末に係り、特に、対向機器との間でペアリングすることにより接続を確立することができるようにした通信端末に関する。
【背景技術】
【０００２】
近年、携帯電話機を含む通信端末に適用することができる無線通信技術として例えばブルートゥース（Bluetooth（登録商標））が知られている。ブルートゥースの無線通信技術を用いることにより、携帯電話機を含む通信端末は、オーディオケーブルを用いることなくヘッドセットなどの対向機器にオーディオデータを転送することができる。携帯電話機を含む通信端末がブルートゥースの無線通信技術を用いてペアリングする場合の仕様として、Bluetooth SIGで規定されるBluetooth Specification version2.1+EDR（非特許文献１参照）が知られている。一方、携帯電話機を含む通信端末がNFC（Near Field Communication）によってハンドオーバー（通信方式を切り替える）する他の無線通信方式を決定するためのネゴシエーションに関する仕様として、NFC（Near Field Communication） Forumで規定されるConnection Handover Technical Specification（非特許文献２参照）が知られている。なお、NFCは、１０乃至３０ｃｍ程度の距離で行われる近距離無線通信技術の国際規格である。
【０００３】
Bluetooth Specification version2.1+EDRとConnection Handover Technical Specificationの２つの仕様に準拠する通信端末は、少なくともブルートゥースの無線通信方式に適用可能な通信部と、NFCの無線通信方式に適用可能な通信部を有しており、異なる２つの通信方式の間でハンドオーバー（通信方式を切り替える）することができる。
【先行技術文献】
【非特許文献】
【０００４】
【非特許文献１】Bluetooth Specification version2.1+EDR（Bluetooth SIG）
【非特許文献２】Connection Handover Technical Specification（NFC Forum）
【発明の概要】
【発明が解決しようとする課題】
【０００５】
Bluetooth Specification version2.1+EDRにおいてはSecure Simple Pairing（SSP）と呼ばれるペアリング方式が規定されている。このSSPのペアリング方式のうちの１つとしてOut Of Band（OOB）と呼ばれるペアリング方式が規定される。このOOBと呼ばれるペアリング方式の場合、通信端末は、ブルートゥースを用いて近距離無線通信する対向機器との間でのペアリングする際に必要となる対向機器の機器情報とセキュリティ情報を、ブルートゥース以外の通信方式（例えばNFCの無線通信方式など）を用いて対向機器から取得する仕組みを定めている。
【０００６】
Bluetooth Specification version2.1+EDRとConnection Handover Technical Specificationの２つの仕様に準拠する通信端末は、NFCを用いたハンドオーバー（通信方式を切り替える）するためのネゴシエーションに基づいて、NFCの通信方式とは異なる通信方式であるブルートゥースにハンドオーバーする。このとき、ユーザは、互いにNFC通信可能な程度に近距離に２つの通信端末を近づけたり、２つの通信端末を互いに重ね合わせることにより、通信端末に対してNFCを用いたハンドオーバーするためのネゴシエーションを内部的にさせ、ブルートゥースによるペアリング処理を開始させることができる。このように２つの通信端末を近づける（タッチする）という操作は、ユーザビリティを考慮すると、ペアリング要求を意図する方法として非常に合理的な方法である。
【０００７】
しかしながら、２つの通信端末を近づける（タッチする）という上記の操作は、ブルートゥースによりペアリング処理のみを意図するというよりも、ブルートゥースによる接続要求に基づく全般的な接続処理の開始を意図するものであると解釈される。そのため、通信端末がすでにペアリングを済ましている他の通信端末に対しても再度ペアリングを要求してしまうことがあり得る。仮に再度のペアリング処理が通信端末にて実行されると、ユーザが敢えて通信端末を用いて変更した対向機器（他の通信端末）の名称（ニックネーム）が元の対向機器が有する無機質なデバイス名に戻ってしまうという課題があった。ところが、Bluetooth Specification version2.1+EDRとConnection Handover Technical Specificationの２つの仕様のいずれにおいても、このような課題を解決するための実運用上の動作について何ら規定されていない。
【０００８】
本発明は、このような状況に鑑みてなされたものであり、第１の通信部を用いて通信方式の切り替えに関するネゴシエーションをしても、すでに登録済みの対向機器に関してはペアリング処理を好適に省略することができる通信端末を提供することを目的とする。
【課題を解決するための手段】
【０００９】
本発明の通信端末は、上述した課題を解決するために、通信端末と対向機器との間で無線通信する第１の無線通信手段と、通信端末と対向機器との間で無線通信する第２の無線通信手段と、通信端末と対向機器とが互いに第１の無線通信手段により無線通信可能な範囲で近接する場合に、第１の無線通信手段から第２の無線通信手段に通信方式を切り替える通信方式切替要求を、第１の無線通信手段が対向機器から受信するとき、第１の無線通信手段を用いて通信方式切替要求に対して対向機器に応答するとともに、通信方式切替要求に基づいて、第１の無線通信手段から第２の無線通信手段に通信方式を切り替える通信方式切替制御手段と、第２の無線通信手段が受信する対向機器からの接続要求を受け付け、対向機器からの接続要求に対して第２の無線通信手段を用いて応答し、第１の無線通信手段を用いて取得される対向機器からの機器情報とセキュリティ情報に基づいて、第２の無線通信手段を用いて対向機器との間でのペアリングを制御するペアリング制御手段と、通信方式切替制御手段から通知される通信方式切替要求に対応するペアリング要求に基づいて、通信方式切替要求を許可した対向機器がすでに登録済みの対向機器であるか否かを判断し、通信方式切替要求を許可した対向機器がすでに登録済みの対向機器であると判断した場合、通信方式切替制御手段から通知される通信方式切替要求に対応するペアリング要求を破棄し、第２の無線通信手段によって認証処理を含むペアリングを実行しないようにペアリング制御手段を制御する認証制御手段とを備えることを特徴とする。
【発明の効果】
【００１０】
本発明によれば、第１の通信部を用いて通信方式の切り替えに関するネゴシエーションをしても、すでに登録済みの対向機器に関してはペアリング処理を好適に省略することができる。
【図面の簡単な説明】
【００１１】
【図１】本発明に係る通信端末に適用可能な携帯電話機の内部の構成を示すブロック図。
【図２】（Ａ）乃至（Ｃ）は、Out Of Band（OOB）と呼ばれるペアリング方式の場合に、本発明に係る携帯電話機１−１と携帯電話機１−２との間においてNFC通信部を用いた通信の様子を示す図。
【図３】携帯電話機１−１と携帯電話機１−２がブルートゥース通信部を用いてペアリングを行う場合における、図１の携帯電話機１−１におけるペアリング制御処理を説明するフローチャート。
【図４】図３のフローチャートを用いて説明するペアリング制御処理を実行する際の、携帯電話機１−１（自機）と携帯電話機１−２（対向機器）との間における具体的な処理を示すシーケンス図。
【図５】携帯電話機１−１とブルートゥース通信部２５を用いてすでにペアリングを行った対向機器に関する情報が対応付けられた対向機器情報テーブルを示す図。
【発明を実施するための形態】
【００１２】
以下、本発明の実施の形態について、図面を参照しながら説明する。図１は、本発明に係る通信端末に適用可能な携帯電話機１の内部の構成を表している。携帯電話機１は、送受信アンテナ１１、送受信共用器１２、無線送受信部１３、信号処理部１４、データ処理部１５、ＰＣＭコーデック１６、受話増幅器１７、レシーバ１８、送話増幅器１９、マイクロフォン２０、制御部２１、操作部２２、表示部２３、コンテンツ処理部２４、ブルートゥース通信部２５、NFC通信部２６、および記憶部２７を備える。
【００１３】
送受信アンテナ１１は、携帯電話機１が対応する移動体通信システムの電波を送波し、携帯電話機１が対応する移動体通信システムの電波を受波する。送受信共用器１２は、サーキュレータやデュプレクサなどからなり、送受信アンテナ１１で受波（受信）された電波を無線送受信部１３に送る。また、送受信共用器１２は、無線送受信部１３から入力された信号を送受信アンテナ１１へ送る。無線送受信部１３は、帯域通過フィルタ、利得調整回路、およびＡ／Ｄ変換器などを備え、制御部２１から指示されるキャリア周波数の無線信号を受信し、周波数シンセサイザから出力された局部発振信号とミキシングして中間周波数信号に周波数変換（ダウンコンバート）し、ダウンコンバートされた中間周波数信号を直交復調して受信ベースバンド信号を生成する。無線送受信部１３の帯域通過フィルタは、移動体通信システムに属する基地局から送信される無線信号を受信し、この受信した信号から所望帯域外の雑音を除去する。また、無線送受信部１３の利得調整回路は、利得調整回路の後段に設けられるＡ／Ｄ変換器が扱える信号振幅に調整する。無線送受信部１３のＡ／Ｄ変換器は、帯域通過フィルタを通過した信号をベースバンドのディジタル信号に変換する。
【００１４】
信号処理部１４は、無線送受信部１３から出力された受信ベースバンド信号（受信ベースバンドディジタル信号）に対してベースバンド処理を行う。データ処理部１５は、例えばＤＳＰ（Digital Signal Processor）などからなり、信号処理部１４でベースバンド処理されたベースバンド信号をデータおよび音声に変換する。すなわち、データ処理部１５は、受信パケットデータをまずメディア毎に分離し、分離されたメディア毎のデータに対してそれぞれ復号処理を施す。具体的には、データ処理部１５は、例えば受信パケットデータにオーディオデータが含まれている場合、オーディオデータをスピーチコーデックにより復号する。また、データ処理部１５は、受信パケットデータに動画像データが含まれている場合、動画像データをビデオコーデックにより復号する。さらに、データ処理部１５は、受信パケットデータがダウンロードコンテンツである場合、ダウンロードコンテンツを伸長する。復号処理により得られたディジタルオーディオ信号は、ＰＣＭコーデック１６によりＰＣＭ復号された後、受話増幅器１７により増幅されてレシーバ１８により出力される。一方、ビデオコーデックにより復号されたディジタル動画像信号は、制御部２１を介して表示部２３に供給され表示される。
【００１５】
なお、無線送受信部１３と信号処理部１４は、移動体通信システムに属する基地局に対して通信データを送信するための送信ベースバンド処理や無線処理等の一連の処理を行う。
【００１６】
制御部２１は、CPU（Central Processing Unit）、ROM（Read Only Memory）、およびRAM（Random Access Memory）などからなる。制御部２１のCPUは、ROMに記憶されているプログラムまたは記憶部２７からRAMにロードされた、オペレーティングシステム（OS）を含む各種のアプリケーションプログラムや制御プログラムに従って各種の処理を実行するとともに、種々の制御信号を生成し、各部に供給することにより移動無線端末１を統括的に制御する。RAMは、CPUが各種の処理を実行する上において必要なデータなどを適宜記憶する。具体的には、制御部２１は、移動体通信システムによる音声通信やデータ通信を実現する制御機能を備える。また、制御部２１は、通信制御を行う場合、送受信アンテナ１１、無線送受信部１３、信号処理部１４、データ処理部１５、ＰＣＭコーデック１６、受話増幅器１７、レシーバ１８、送話増幅器１９、およびマイクロフォン２０などを用いた通信処理を制御する。一方、制御部２１は、操作部２２、表示部２３、記憶部２７、および図示せぬ時計回路などを用いたＵＩ処理に関して制御を行う。
【００１７】
コンテンツ処理部２４は、例えば音楽プレイヤを制御する際に、例えばＡＡＣやＭＰ３などの符号化方式で符号化されたオーディオデータを、一旦、その符号化方式に対応する復号化方式で復号化した後、他の符号化方式（例えばＳＢＣ（Sub Band Coding）など）によって再符号化処理などを施す。ブルートゥース通信部２５は、携帯電話機１が備える近距離無線通信部の１つであり、例えばブルートゥース（Bluetooth（登録商標））による無線通信を行うモジュールなどからなる。ブルートゥース通信部２５は、携帯電話機１の近傍に存在するヘッドセットや他の携帯電話機１などと無線通信を行う。勿論、ブルートゥース以外の無線通信（例えば赤外線通信）を用いるようにしてもよい。
【００１８】
NFC通信部２６は、携帯電話機１が備える近距離無線通信部の１つであり、１０乃至３０ｃｍ程度の距離で行われる近距離無線通信技術の国際規格であるNFCに適用可能なモジュールからなる。NFC通信部２６は、非接触ＩＣカードとして機能し例えば交通乗車券や入退出管理カードとして用いることが可能であり、携帯電話機１が図示せぬＩＣリーダ／ライタに近接され、そのＩＣリーダ／ライタから輻射される電磁波を受信したとき、それに応じて、各種の情報を用いてＩＣリーダ／ライタと無線通信を行う。また、図１の携帯電話機１は、NFC通信部２６を備える他の携帯電話機１との間でNFCを用いてデータ通信することが可能である。NFC通信部２６を用いた近距離無線通信の場合、互いのNFC通信部２６を至近距離に近づける必要があるため、セキュリティの確認手続きが簡略化されている。
【００１９】
記憶部２７は、例えば、電気的に書換えや消去が可能な不揮発性メモリであるフラッシュメモリ素子やHDD（Hard Disc Drive）などからなり、制御部２１のCPUにより実行される種々のアプリケーションプログラムや種々のデータ群、携帯電話機１の制御プログラムや制御データを格納する。この他にも、記憶部２７は、名前と電話番号を対応づけた電話帳データや、データ通信により取得したデータやダウンロードしたデータを適宜記憶する。また、携帯電話機１は、バッテリの出力を基に所定の動作電源電圧Ｖｃｃを生成して各回路部に供給する電源回路や、現在の時刻を測定する時計回路（タイマ）を備える。
【００２０】
なお、携帯電話機１は、受話増幅器１７、受話音声信号を拡声出力するレシーバ１８、送話増幅器１９、送話音声信号を入力するマイクロフォン２０、ユーザからの要求を受け付ける操作部２３、および受信データに基づく画像を表示する表示部２４を備える。
【００２１】
ここで、本発明に係る携帯電話機１は、上述したように、ブルートゥース通信部２５とNFC通信部２６の２つの近距離無線通信部を備えており、ブルートゥース通信部２５とNFC通信部２６の２つの近距離無線通信部を同様に備える他の携帯電話機１（対向機器）との間で大容量のデータを送受信する場合、まず互いのNFC通信部２６を用いて互いの携帯電話機１に固有の機器情報（デバイスアドレスなどを含む情報）をネゴシエーションによってやり取りする。次に、携帯電話機１は、NFC通信部２６を介したネゴシエーションによって取得される他の携帯電話機１の機器情報を用いて、互いのブルートゥース通信部２５によって認証処理を含むペアリングを行う。その後、携帯電話機１は、他の携帯電話機１との間でブルートゥース通信部２５を用いて大容量のデータを送受信する。ここで、第１段階でまずセキュリティの確認手続きが簡略化されているNFC通信部２６を用いた近距離無線通信を行い、その後、第２段階でNFC通信よりも高速にデータ通信することが可能なブルートゥース通信部２５を用いた近距離無線通信に切り替える（引き継ぐ）ことを「ハンドオーバー」と定義する。すなわち、「ハンドオーバー」とは、近距離無線通信方式の切り替えを意味する。
【００２２】
そして、NFC通信部２６を介したネゴシエーションによって取得される他の携帯電話機１の機器情報は、NFC通信部２６を介したネゴシエーション時に受信される他の携帯電話機１からのハンドオーバー要求に含まれている。本発明に係る携帯電話機１は、他の携帯電話機１からハンドオーバー要求を受信した場合に、ブルートゥース通信部２５によって認証処理を含むペアリングを行う。従って、このハンドオーバー要求は、近距離無線通信方式の切り替えの要求という意味だけでなく、ブルートゥース通信部２５を用いたペアリングの要求に他ならない。その意味では、ハンドオーバー要求とは、NFCタッチを行うユーザの意図からすると、その後に行われるペアリングに向けられた要求であり、より正確には２つの機器間でNFC通信部２６を用いて行われるハンドオーバーネゴシエーション時においてやり取りされる要求であって機器に固有の機器情報等を含むものである。
【００２３】
本発明に係る携帯電話機１は、他の携帯電話機１からハンドオーバー要求を受信した場合に、基本的に、ブルートゥース通信部２５によって認証処理を含むペアリングを行う。しかし、本発明に係る携帯電話機１は、他の携帯電話機１からハンドオーバー要求を受信した場合であっても、すでに登録済みの対向機器からのハンドオーバー要求を受信したときには、例外的に、対向機器からのハンドオーバー要求に含まれるペアリング要求（ハンドオーバー要求に対応するペアリング要求）を破棄し、ブルートゥース通信部２５によって認証処理を含むペアリングを実行しない。制御部２１は、本発明に係る特徴的な機能として通信方式切替制御部３１、ペアリング制御部３２、および認証制御部３３を備える。制御部２１の通信方式切替制御部（ハンドオーバー制御部）３１は、ブルートゥース通信部２５を用いて近距離無線通信する対向機器（携帯電話機１など）との間でのペアリングする際に必要となる対向機器の機器情報とセキュリティ情報を、ブルートゥース以外の通信方式（例えばNFCの無線通信方式など）を用いて対向機器から取得する処理を制御する。具体的には、通信方式切替制御部３１は、ブルートゥース通信部２５を用いて近距離無線通信する対向機器との間でのペアリングする際に、NFC通信部２６を制御し、NFC通信部２６を用いて携帯電話機１の近傍に存在する他の携帯電話機１とネゴシエーションし、このネゴシエーション時に他の携帯電話機１からハンドオーバー要求を受信し、互いの携帯電話機１に固有の機器情報（デバイスアドレスなどを含む情報）やセキュリティ情報をネゴシエーションによってやり取りするとともに、NFC通信方式から切り替える先の通信方式（例えばブルートゥース通信部２５による通信方式）を決定し、切り替え先の通信方式への切替え（ハンドオーバー）を制御する。また、通信方式切替制御部３１は、ハンドオーバー要求に含まれるペアリング要求（ハンドオーバー要求に対応するペアリング要求）を認証制御部３３に通知する。すなわち、通信方式切替制御部３１は、ハンドオーバー要求に基づいて通信方式をNFC通信部２６による通信方式からブルートゥース通信部２５による通信方式に切り替えてハンドオーバー要求が許可された他の携帯電話機１−２との間でペアリングを開始することを認証制御部３３に通知する。
【００２４】
ペアリング制御部３２は、ブルートゥース通信部２５を用いて近距離無線通信する対向機器（他の携帯電話機１）との間でのペアリングを制御する。このペアリングは、例えばSecure Simple Pairing（SSP）と呼ばれるペアリング方式である。
【００２５】
認証制御部３３は、通信方式切替制御部３１から通知されるハンドオーバー要求に含まれるペアリング要求に基づいて、ハンドオーバー要求を許可した対向機器（他の携帯電話機１）がすでに登録（ペアリング）済みの対向機器であるか否かを判断する。認証制御部３３は、ハンドオーバー要求を許可した対向機器（他の携帯電話機１）がすでに登録（ペアリング）済みの対向機器であると判断した場合、通信方式切替制御部３１から通知されるハンドオーバー要求に含まれるペアリング要求を破棄し、通信方式切替制御部３１から通知されるハンドオーバー要求に含まれるペアリング要求をペアリング制御部３２に供給せず、ブルートゥース通信部２５によって認証処理を含むペアリングをペアリング制御部３２に実行させない。一方、認証制御部３３は、ハンドオーバー要求を許可した対向機器（他の携帯電話機１）がすでに登録（ペアリング）済みの対向機器ではないと判断した場合、通信方式切替制御部３１から通知されるハンドオーバー要求に含まれるペアリング要求を破棄せず、通信方式切替制御部３１から通知されるハンドオーバー要求に含まれるペアリング要求をペアリング制御部３２に供給し、ブルートゥース通信部２５によって認証処理を含むペアリングをペアリング制御部３２に実行させる。
【００２６】
図２（Ａ）乃至（Ｃ）は、Out Of Band（OOB）と呼ばれるペアリング方式の場合に、本発明に係る携帯電話機１−１と携帯電話機１−２との間においてNFC通信部２６を用いた通信の様子を表している。図２（Ａ）および（Ｂ）が示すように、NFC通信部２６が内蔵された携帯電話機１−１が携帯電話機１−２の近傍に接近すると、携帯電話機１−２内において携帯電話機１−１から輻射された電磁波によって電磁誘導が発生し、携帯電話機１−２は、それにより生じた電流を用いて携帯電話機１−１との間で近距離無線通信（NFC通信）によりデータの授受を行う。勿論、携帯電話機１−１を携帯電話機１−２に近づけても良いし、逆に携帯電話機１−２を携帯電話機１−１に近づけるようにしても良い。また、図２（Ｃ）が示すように、２つの携帯電話機間でNFC通信する場合、２つの携帯電話機１を互いに重ね合わせるようにしてもよい。なお、互いにNFC通信可能な程度に近距離に２つの携帯電話機を近づけることや、２つの携帯電話機１を互いに重ね合わせることを「NFCタッチ」と定義する。
【００２７】
図３のフローチャートを参照して、携帯電話機１−１と携帯電話機１−２がブルートゥース通信部２５を用いてペアリングを行う場合における、図１の携帯電話機１−１におけるペアリング制御処理について説明する。このペアリング制御処理は、携帯電話機１−１がブルートゥース通信の接続を待っている場合に２つの携帯電話機の間でNFCタッチが行われるときに携帯電話機１−１で実行される。なお、図４は、図３のフローチャートを用いて説明するペアリング制御処理を実行する際の、携帯電話機１−１（自機）と携帯電話機１−２（対向機器）との間における具体的な処理のシーケンスを表している。
【００２８】
ステップＳ１において、携帯電話機１−１と携帯電話機１−２との間でNFCタッチが行われると、携帯電話機１−１の通信方式切替制御部３１は、NFC通信部２６を用いて携帯電話機１の近傍に存在する他の携帯電話機１−２とのネゴシエーションを開始する。携帯電話機１−１のNFC通信部２６は、他の携帯電話機とのネゴシエーション中に、他の携帯電話機１−２からハンドオーバー要求を受信する（図４のステップＳ３１）。このハンドオーバー要求には、他の携帯電話機１−２に固有の機器情報（デバイスアドレスなどを含む情報）と、セキュリティ情報が含まれている。他の携帯電話機１−２に固有の機器情報は「BD_ADDR=YYYYYY」である。一方、自機である携帯電話機１−１に固有の機器情報は「BD_ADDR=XXXXXX」である。
【００２９】
ステップＳ２において、携帯電話機１−１の通信方式切替制御部３１は、NFC通信部２６によって受信されたハンドオーバー要求の中から、他の携帯電話機１−２に固有の機器情報と、セキュリティ情報を取得する。携帯電話機１−１の通信方式切替制御部３１は、取得された他の携帯電話機１−２に固有の機器情報と、セキュリティ情報をペアリング制御部３２に供給する。ステップＳ３において、携帯電話機１−１の通信方式切替制御部３１は、NFC通信方式から切り替える先の通信方式をブルートゥース通信部２５による通信方式に決定し、NFC通信部２６を用いて、ハンドオーバー要求に対する応答（ハンドオーバー応答）を他の携帯電話機１−２に送信する（図４のステップＳ３２）。
【００３０】
ステップＳ４において、通信方式切替制御部３１は、ハンドオーバー要求（通信方式をNFC通信部２６による通信方式からブルートゥース通信部２５による通信方式に切り替える要求）をブルートゥース通信部２５に対して通知し、ブルートゥース通信部２５を用いたペアリングに向けて、通信方式をNFC通信部２６からブルートゥース通信部２５に切り替える（図４のステップＳ３３）。このとき、対向機器である携帯電話機１−２は、携帯電話機１−１からNFC通信部２６を用いて送信されたハンドオーバー要求に対する応答（ハンドオーバー応答）をNFC通信部２６で受信すると、携帯電話機１−２は、携帯電話機１−１と同様に、ハンドオーバー要求をブルートゥース通信部２５に対して通知し、携帯電話機１−１との間におけるブルートゥース通信部２５を用いたペアリングに向けて、通信方式をNFC通信部２６からブルートゥース通信部２５に切り替える（図４のステップＳ３４）。ステップＳ５において、携帯電話機１−１の通信方式切替制御部３１は、ハンドオーバー要求に含まれるペアリング要求を認証制御部３３に通知する。すなわち、通信方式切替制御部３１は、ハンドオーバー要求に基づいて（通信方式をNFC通信部２６による通信方式からブルートゥース通信部２５による通信方式に切り替えてハンドオーバー要求が許可された他の携帯電話機１−２との間でペアリングを開始することを認証制御部３３に通知する。
【００３１】
ステップＳ６において、認証制御部３３は、通信方式切替制御部３１から通知されるハンドオーバー要求に含まれるペアリング要求（ハンドオーバー要求に対応するペアリング要求）に基づいて、ハンドオーバー要求を許可した対向機器（他の携帯電話機１）がすでに登録（ペアリング）済みの対向機器であるか否かを判断する。具体的には、図３のペアリング制御処理が実行される前の他のペアリング制御処理において、他のペアリング制御処理でペアリングを要求する対向機器の機器情報に関して、携帯電話機１−１側ですでに登録されているとともに、当該対向機器に関する名称として携帯電話機１−１側ですでに他のニックネーム（例えばザンジバルブルーのニックネームなど）が登録されているものとする。図５は、携帯電話機１−１とブルートゥース通信部２５を用いてすでにペアリングを行った対向機器に関する情報が対応付けられた対向機器情報テーブルを表している。この対向機器情報テーブルは、記憶部２７に格納される。図５の場合、機器情報「BD_ADDR=YYYYYY」が対向機器の名称「ザンジバルブルー」と対応付けられるとともに、携帯電話機１−１がこの対向機器との間で過去に実行したブルートゥースのプロファイル（HFP、A2DP、およびAVRCP）が対応付けられている。なお、携帯電話機１−１側ですでに登録（ペアリング）されている対向機器と接続を確立する際の認証処理に必要なセキュリティ情報は対向機器の機器情報に対応付けられて登録されている。
【００３２】
また、通信方式切替制御部３１から通知されるハンドオーバー要求に含まれるペアリング要求（ハンドオーバー要求に対応するペアリング要求）には、ハンドオーバー要求を許可した対向機器としての他の携帯電話機１−２に固有の機器情報（デバイスアドレス）が含まれている。そこで、認証制御部３３は、記憶部２７から対向機器情報テーブルを読み出し、読み出された対向機器情報テーブルを参照して、通信方式切替制御部３１から通知されるペアリング要求に含まれる機器情報に基づいて、ハンドオーバー要求を許可した対向機器（他の携帯電話機１）がすでに登録（ペアリング）済みの対向機器であるか否かを判断する。
【００３３】
ステップＳ６において認証制御部３３が、認証制御部３３は、ハンドオーバー要求を許可した対向機器（他の携帯電話機１）がすでに登録（ペアリング）済みの対向機器であると判断した場合、認証制御部３３はステップＳ７で、通信方式切替制御部３１から通知されるハンドオーバー要求に含まれるペアリング要求（ハンドオーバー要求に対応するペアリング要求）を破棄し、通信方式切替制御部３１から通知されるハンドオーバー要求に含まれるペアリング要求をペアリング制御部３２に供給（通知）しない（図４のステップＳ３５）。これにより、携帯電話機１−１は、その後対向機器としての他の携帯電話機１−２から接続要求を受信したとしても、ブルートゥース通信部２５によって認証処理を含むペアリングを実行しない。ステップＳ８において、制御部２１は、ハンドオーバー要求を許可した対向機器としての他の携帯電話機１−２からの接続要求に備えて、読み出された対向機器情報テーブルを参照して、ハンドオーバー要求を許可した対向機器としての他の携帯電話機１−２に予め対応付けられている過去に実行したブルートゥースのプロファイルをすべて起動する（図４のステップＳ３５）。これにより、すでに登録（ペアリング）済みの対向機器に関しては、対向機器からの接続要求を受信するまでの間に過去に実行したプロファイルをすべて起動しておくことができ、対向機器としての他の携帯電話機１−２と自機である携帯電話機１−１とのNFCタッチからシームレスにブルートゥース通信部２５を用いた無線通信を開始することができる。勿論、ハンドオーバー要求を許可した対向機器としての他の携帯電話機１−２に対応付けられている過去に実行したブルートゥースのプロファイルのすべてを起動する必要はなく、過去に実行したブルートゥースのプロファイルの一部でもよい。
【００３４】
その後、携帯電話機１−２は、携帯電話機１−１との間でブルートゥース接続の確立を要求する接続要求をブルートゥース通信部２５を介して携帯電話機１−１に送信する（図４のステップＳ３６）。ステップＳ９において、携帯電話機１−１のペアリング制御部３３は、ブルートゥース通信部２５を用いて携帯電話機１−２から接続要求を受信する。ステップＳ１０において、携帯電話機１−１のペアリング制御部３３は、受信された接続要求に基づいて２つの携帯電話機１間でブルートゥース通信を開始するため、ブルートゥース通信部２５を用いて接続要求に対する応答を携帯電話機１−２に送信する（図４のステップＳ３７）。ステップＳ１１において、携帯電話機１−１のペアリング制御部３３は、ステップＳ２で取得された他の携帯電話機１−２からの機器情報とセキュリティ情報に基づくブルートゥース通信部２５を用いて他の携帯電話機１との間でのペアリングを実行をせずに、携帯電話機１−１側ですでに登録（ペアリング）されている対向機器（他の携帯電話機１−２）と接続を確立する際の認証処理に必要なセキュリティ情報（予め対応機器情報テーブルに対応付けられて登録されている）に基づいて、ブルートゥース通信部２５を用いて認証処理を行い、携帯電話機１−１とハンドオーバー要求を許可した他の携帯電話機１−２との間でブルートゥース接続を確立する。これにより、本発明に係る通信端末は、再度の無駄なペアリング処理の実行を防止することができ、また、ユーザが敢えて通信端末を用いて変更した対向機器（他の通信端末）の名称（ニックネーム）が元の対向機器が有する無機質なデバイス名に戻ってしまうことを防止すること（登録名称を保持すること）ができる。なお、対向機器の名称は登録済みの名称が表示部２３によって表示される。
【００３５】
一方、ステップＳ６において認証制御部３３が、ハンドオーバー要求を許可した対向機器（他の携帯電話機１）がすでに登録（ペアリング）済みの対向機器ではない（未登録の対向機器である）と判断した場合、認証制御部３３はステップＳ１２で、通信方式切替制御部３１から通知されるハンドオーバー要求に含まれるペアリング要求を破棄せず、通信方式切替制御部３１から通知されるハンドオーバー要求に含まれるペアリング要求をペアリング制御部３２に供給（通知）する。これにより、携帯電話機１−１は、その後対向機器としての他の携帯電話機１−２から接続要求を受信することで、ブルートゥース通信部２５によって認証処理を含むペアリングを実行することができる。その後、携帯電話機１−２は、携帯電話機１−１との間でブルートゥース接続の確立を要求する接続要求をブルートゥース通信部２５を介して携帯電話機１−１に送信する（図４のステップＳ３６）。ステップＳ１３において、携帯電話機１−１のペアリング制御部３３は、ブルートゥース通信部２５を用いて携帯電話機１−２から接続要求を受信する。ステップＳ１４において、携帯電話機１−１のペアリング制御部３３は、受信された接続要求に基づいて２つの携帯電話機１間でペアリング処理を開始するため、ブルートゥース通信部２５を用いて接続要求に対する応答を携帯電話機１−２に送信する（図４のステップＳ３７）。ステップＳ１５において、携帯電話機１−１のペアリング制御部３３は、ステップＳ２で取得された他の携帯電話機１−２からの機器情報とセキュリティ情報に基づいて、ブルートゥース通信部２５を用いて他の携帯電話機１との間でのペアリングを実行し認証処理を行うとともに、ステップＳ１６でブルートゥース通信部２５を用いて、携帯電話機１−１とハンドオーバー要求を許可した他の携帯電話機１−２との間でブルートゥース接続を確立する。
【００３６】
本発明に係る通信端末に適用可能な携帯電話機は、第１の無線通信部（NFC通信部２６）を用いて通信端末と対向機器（他の携帯電話機１−１）との間で無線通信し、第２の無線通信部（ブルートゥース通信部２５）を用いて通信端末と対向機器との間で無線通信し、通信端末と対向機器とが互いに第１の無線通信部により無線通信可能な範囲で近接する場合に、第１の無線通信部から第２の無線通信部に通信方式を切り替える通信方式切替要求を、第１の無線通信部が対向機器から受信するとき、第１の無線通信部を用いて通信方式切替要求に対して対向機器に応答するとともに、通信方式切替要求に基づいて、第１の無線通信部から第２の無線通信部に通信方式を切り替え、第２の無線通信部が受信する対向機器からの接続要求を受け付け、対向機器からの接続要求に対して第２の無線通信部を用いて応答し、第１の無線通信部を用いて取得される対向機器からの機器情報とセキュリティ情報に基づいて、第２の無線通信部を用いて対向機器との間でのペアリングを制御し、通知される通信方式切替要求に対応するペアリング要求（通信方式切替要求に含まれるペアリング要求）に基づいて、通信方式切替要求を許可した対向機器がすでに登録済みの対向機器であるか否かを判断し、通信方式切替要求を許可した対向機器がすでに登録済みの対向機器であると判断した場合、通知される通信方式切替要求に対応するペアリング要求を破棄し、第２の無線通信部によって認証処理を含むペアリングを実行しないように制御することができる。
【００３７】
これにより、本発明に係る通信端末に適用可能な携帯電話機は、第１の無線通信部を用いて通信方式の切り替えに関するネゴシエーションをしても、すでに登録済みの対向機器に関してはペアリング処理を好適にキャンセル（省略）することができる。従って、通信端末がすでに登録済みの対向機器に対して再度ペアリング処理が実行されることを防止することができる。また、ユーザが敢えて通信端末を用いて変更した対向機器（他の通信端末）の名称（ニックネーム）が元の対向機器が有する無機質なデバイス名に戻ってしまうことを防止することができる。さらに、第１の無線通信部であるNFC通信部２６を用いて通信方式の切り替えに関するネゴシエーションをした後に、第２の無線通信部であるブルートゥース通信部２５を用いた対向機器からの接続要求に備え、すでに登録済みの対向機器に予め対応付けられた過去に実行したプロファイルを起動しておき、対向機器との間でシームレスに無線通信を開始することができる。
【００３８】
なお、ブルートゥース通信部２５の代わりに、第２の無線通信部としてWLANを用いるようにしてもよいし、他の無線通信手段を用いるようにしてもよい。
【００３９】
なお、本発明の実施形態において説明した一連の処理は、ソフトウェアにより実行させることもできるが、ハードウェアにより実行させることもできる。
【００４０】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【００４１】
１（１−１乃至１−２）…携帯電話機、１１…送受信アンテナ、１２…送受信共用器、１３…無線送受信部、１４…信号処理部、１５…データ処理部、１６…ＰＣＭコーデック、１７…受話増幅器、１８…レシーバ、１９…送話増幅器、２０…マイクロフォン、２１…制御部、２２…操作部、２３…表示部、２４…コンテンツ処理部、２５…ブルートゥース通信部、２６…NFC通信部、２７…記憶部、３１…通信方式切替制御部、３２…ペアリング制御部、３３…認証制御部。
【図１】
2011151745.tif 000003
【図２】
2011151745.tif 000004
【図３】
2011151745.tif 000005
【図４】
2011151745.tif 000006
【図５】
2011151745.tif 000007